(57)【要約】【課題】蒸発器に冷水を流す水循環路を設け、圧縮機停止後、水循環路に冷水を循環させ蒸発器を低圧に維持し、圧縮機が再起動時に冷水の循環を停止して蒸発器の冷媒流動音を消去することができる冷凍サイクルを提供する。【解決手段】圧縮機１と、凝縮器２と、絞り機構３と、蒸発器４とからなり、これらを冷媒配管により順次配管接続してなる冷凍サイクルにおいて、蒸発器４に、同蒸発器４の冷媒循環用伝熱管４ｄの近傍に、冷水を循環させる水循環用伝熱管４ｆを設け、同水循環用伝熱管４ｆの出入口に開閉弁６を介して水供給タンク７を備えた水循環路５を設け、圧縮機１の停止直後に、開閉弁６を開け、水循環用伝熱管４ｆに冷水を循環させ、蒸発器４全体を冷却する。【選択図】　図１
2004037032.tif 000002
【特許請求の範囲】
【請求項１】
圧縮機と、凝縮器と、絞り機構と、蒸発器とからなり、これらを冷媒配管により順次配管接続してなる冷凍サイクルにおいて、
前記蒸発器に、同蒸発器の冷媒循環用伝熱管の近傍に、冷水を循環させる水循環用伝熱管を設け、同水循環用伝熱管の出入口に開閉弁を介して水供給タンクを備えた水循環路を設け、前記圧縮機の停止直後に、前記開閉弁を開け、前記水循環用伝熱管に冷水を循環させ、前記蒸発器全体を冷却してなることを特徴とする冷凍サイクル。
【請求項２】
前記水供給タンクにドレインポンプを接続し、前記水供給タンクにドレイン水を供給してなることを特徴とする請求項１記載の冷凍サイクル。
【請求項３】
前記冷媒循環用伝熱管と前記水循環用伝熱管を平行に配置してなることを特徴とする請求項１記載の冷凍サイクル。
【発明の詳細な説明】
【０００１】
【発明の属する技術分野】
本発明は圧縮機起動時に蒸発器で発生する冷媒流動音を消去することができる冷凍・冷蔵庫や空調機等の冷凍サイクルに関する。
【０００２】
【従来の技術】
従来、この種の冷凍サイクルには、例えば図４示す特開平１０−１３２３９１公報に記載されたものがある。圧縮機２１と、凝縮器２２と、絞り機構２３と、蒸発器２４とからなり、これらを冷媒配管により順次配管接続してなる冷凍サイクルを構成している。圧縮機２１が起動をはじめると、圧縮機２１から吐出された冷媒は凝縮器２２を経て膨張弁２３から蒸発器２４に流入する。
前記膨張弁２３は圧縮機起動直後にはオーバシュートを起こすため、冷媒の流速が特に速くなり、蒸発器２４の内部を流れる冷媒流速も速くなる。このため、圧縮機２１が起動した直後に、過渡的に蒸発器２４の内部に冷媒流動音が発生する。
【０００３】
そこで図４に示すように、蒸発器２４と並列にバイパス回路２５を設け、その回路の途中に電磁開閉弁２６が挿入されている。この電磁開閉弁２６は圧縮機２１の起動直後の設定時間だけ開状態に維持させることによって、圧縮機の起動直後に前記絞り機構２３がオーバシュートする数秒間、その入口側と出口側とを連通させ、蒸発器２４のバイパス回路２５を開き蒸発器２４を流れる冷媒の流速を低下させ、その冷媒流動音を低減させることができる。
【０００４】
しかしながら、上記構成の冷凍サイクルにおいては、バイパス回路２５から冷媒流動音が発生する恐れがあり、またバイパス回路２５から通常の冷媒回路に戻すときに、流動音が発生する恐れがあり充分に流動音を消去することができない。
【発明が解決しようとする課題】
本発明は上記問題点に鑑みなされたもので、蒸発器の冷媒循環用伝熱管の近傍に、冷水を循環させる水循環用伝熱管を設け、圧縮機の停止直後に、水循環用伝熱管に冷水を循環させ、蒸発器を冷却して低圧に維持し、圧縮機起動時の冷媒流動音を消去することができる冷凍サイクルを提供することを目的としている。
【０００５】
【課題を解決するための手段】
本発明は上記課題を解決するためになされたもので、圧縮機と、凝縮器と、絞り機構と、蒸発器とからなり、これらを冷媒配管により順次配管接続してなる冷凍サイクルにおいて、
前記蒸発器に、同蒸発器の冷媒循環用伝熱管の近傍に、冷水を循環させる水循環用伝熱管を設け、同水循環用伝熱管の出入口に開閉弁を介して水供給タンクを備えた水循環路を設け、前記圧縮機の停止直後に、前記開閉弁を開け、前記水循環用伝熱管に冷水を循環させ、前記蒸発器全体を冷却してなる構成となっている。
【０００６】
また、前記水供給タンクにドレインポンプを接続し、前記水供給タンクにドレイン水を供給してなる構成となっている。
【０００７】
また、前記冷媒循環用伝熱管と前記水循環用伝熱管を平行に配置してなる構成となっている。
【０００８】
【発明の実施の形態】
以下、本発明における実施の形態を添付図面に基づいて詳細に説明する。
図１は本発明における冷凍・冷蔵庫や空調機等の冷凍サイクルの構成回路図、図２は本発明における蒸発器の要部斜視図、図３は本発明の動作を説明するタイムチャート図である。図において、１は圧縮機、２はは凝縮器、３は膨張弁からなる絞り機構、４は蒸発器で、これらは冷媒配管により環状に連結し冷凍サイクルが構成されている。
【０００９】
図２に示すように、前記蒸発器４は所定の間隔で積層された多数枚のフィン４ａと、側板４ｂ、４ｃと、フィン４ａに直交し、冷媒を循環する冷媒循環用伝熱管（ヘアピン管）４ｄと、同冷媒循環用伝熱管４ｄを順次接続する複数のＵ字形接続管３ｅとからなり、冷媒は実線矢印で示すように上側から流入して下側から吐出するようになっている。
【００１０】
前記蒸発器４の冷媒循環用伝熱管４ｄの近傍に平行して、冷水を循環させる水循環用伝熱管４ｆが設けられ、同水循環用伝熱管４ｆの出入口に開閉弁６を介して水供給タンク７を備えた水循環路５が接続されている。
前記水供給タンク７にはドレインポンプ（図示せず）を接続し、前記水供給タンク７に冷凍サイクルで発生したドレイン水を供給して、前記水循環用伝熱管４ｆに水を循環させる構成となっている。
【００１１】、
上記構成により、冷媒は図１の実線矢印の方向に流れ冷凍又は冷房運転が行われる。前記圧縮機１から吐出された高温高圧の冷媒は、前記凝縮器２に流入し、同凝縮器２で熱を放出して凝縮する。凝縮した冷媒は前記絞り機構（膨張弁）３を通過して低温低圧となり前記蒸発器４に流入し、同蒸発器４で熱を吸収して蒸発し、蒸発した冷媒は前記圧縮機１に還流するようになっている。
【００１２】
前記した冷凍サイクルの前記圧縮機１が停止した直後は、冷媒の流れが止まり、前記蒸発器４が熱を奪えないので前記蒸発器４の圧力が上がってしまい、前記蒸発器４側と前記凝縮器２の圧力が均圧状態となり、起動時に急激な圧力差が起こり前記蒸発器４側から冷媒流動音が発生する。
【００１３】
そこで、前記圧縮機１が停止した後も前記蒸発器４の圧力を上昇させないように、前記開閉弁６を開け（図３に示す）、前記水循環用伝熱管４ｆに冷水を循環させ前記蒸発器４を冷却することで熱を奪い、前記蒸発器４を低圧に維持し、前記圧縮機１が再起動した時に前記開閉弁６を閉じる（図３に示す）ことにより、蒸発器４の過度的冷媒流動音を消去することができる。
【００１４】
以上に説明したように、前記蒸発器４に、同蒸発器４の冷媒循環用伝熱管４ｄの近傍に、冷水を循環させる水循環用伝熱管４ｆを設け、同水循環用伝熱管４ｆの出入口に開閉弁６を介して水供給タンク７を備えた水循環路５を設け、前記圧縮機１の停止直後に、前記開閉弁６を開け、前記水循環用伝熱管４ｆに冷水を循環させ、前記蒸発器４全体を冷却する構成とすることにより、前記蒸発器４を低圧に維持し、前記圧縮機１の起動時に発生する蒸発器４の過度的冷媒流動音を消去することができる冷凍サイクルとなる。
【００１５】
【発明の効果】
以上説明したように本発明においては、蒸発器の冷媒循環用伝熱管の近傍に、冷水を循環させる水循環用伝熱管を設け、圧縮機の停止直後に、水循環用伝熱管に冷水を循環させ、蒸発器を冷却して低圧に維持し、圧縮機起動時の冷媒流動音を消去することができる冷凍サイクルとなる。
【図面の簡単な説明】
【図１】本発明における冷凍サイクルの構成図である。
【図２】本発明における蒸発器の要部拡大斜視図である。
【図３】本発明の動作を説明するタイムチャート図である。
【図４】従来例における冷凍サイクルの構成図である。
【符号の説明】
１　圧縮機
２　　凝縮器
３　　絞り機構（膨張弁）
４　　蒸発器
４ｄ　　冷媒循環用伝熱管
４ｆ　　水循環用伝熱管
５　　水循環路
６　　開閉弁
７　水供給タンク
【図１】
2004037032.tif 000003
【図２】
2004037032.tif 000004
【図３】
2004037032.tif 000005
【図４】
2004037032.tif 000006